(57)【要約】      （修正有）【課題】複数の超音波発生部を備え、且つ各超音波発生部が自由に動くので、マッサージ部位にフィットして一度に広い範囲をマッサージできる。【解決手段】超音波マッサージ器１００は三角錐形状の超音波発生部１を本体２に縦に３個、横に２個設け、上部にグリップ３を設けている。本体２には二次電池４と駆動回路５とが収納される。各超音波発生部１は筐体内に軸振動子が設けられ、筐体の上部においてボールジョイントを介して本体２と連結し、自在に動くことができる。軸振動子は２枚のピエゾ素子からなり、下方のホーンの先端には皿状に成形した振動板が設けられ、その振動板の周囲は筐体の外周縁にゴムを介して取り付けられる。【選択図】図３
2011055852.tif 000002
【特許請求の範囲】
【請求項１】
筐体に内設した振動子と、
振動子に設けられ且つ筐体下面に設けた振動板と、
から超音波振動部を構成し、
複数の前記超音波振動部が、グリップを有する本体に首振り可能に取り付けられたことを特徴とする超音波マッサージ器。
【請求項２】
超音波振動部は、本体に対して縦横異なる数が設けられていることを特徴とする請求項１に記載の超音波マッサージ器。
【請求項３】
前記超音波振動部のうち特定の超音波振動部のみ振動させる切換手段を有することを特徴とする請求項１または２に記載の超音波マッサージ器。
【発明の詳細な説明】
【技術分野】
【０００１】
本発明は、広い範囲に確実に超音波マッサージできる超音波マッサージ器に関するものである。
【背景技術】
【０００２】
従来から特許文献１に記載の超音波マッサージ器が知られている。この超音波マッサージ器は、ランジュバン型の振動子を長尺のホーンに取り付けた構造である。このホーンの先をマッサージ部位に押し当てて、マッサージを行う。
【先行技術文献】
【特許文献】
【０００３】
【特許文献１】特開２００２−２４８１５２号公報
【発明の概要】
【発明が解決しようとする課題】
【０００４】
解決しようとする問題点は、上記従来のマッサージ器ではマッサージできる部位が狭く、広い部位をマッサージするには複数に分けて行う必要があるという点である。
【課題を解決するための手段】
【０００５】
この発明の超音波マッサージ器は、筐体に内設した振動子と、振動子に設けられ且つ筐体下面に設けた振動板とから超音波振動部を構成し、複数の前記超音波振動部が、グリップを有する本体に首振り可能に取り付けられたことを特徴とする。
【０００６】
また、この発明の超音波マッサージ器は、上記発明において、前記超音波振動部が本体に対して縦横異なる数が設けられていることを特徴とする。
【０００７】
また、この発明の超音波マッサージ器は、上記発明において、前記超音波振動部のうち特定の超音波振動部のみ振動させる切換手段を有することを特徴とする。
【図面の簡単な説明】
【０００８】
【図１】この発明の実施の形態にかかる超音波マッサージ器を示す上面図である。
【図２】この発明の実施の形態にかかる超音波マッサージ器を示す底面図である。
【図３】この発明の実施の形態にかかる超音波マッサージ器を示す側面図である。
【図４】この発明の実施の形態にかかる超音波マッサージ器を示す側面図である。
【図５】各超音波発生部の構成図である。
【図６】各超音波発生部の動作を示す説明図である。
【図７】超音波マッサージ器の使用方法を示す説明図である。
【図８】超音波マッサージ器の使用方法を示す説明図である。
【発明を実施するための形態】
【０００９】
図１は、この発明の実施の形態にかかる超音波マッサージ器を示す上面図である。図２は底面図、図３及び図４は側面図である。この超音波マッサージ器１００は、三角錐形状の超音波発生部１を平面形状の本体２に縦に３個、横に２個の合計６個を設け、上部にグリップ３を設けた構成である。本体２には、二次電池４と超音波発生部１の駆動回路５とが収納されており、グリップ３には電源のオン・オフ用のスイッチ６が設けられている。
【００１０】
図５は、超音波発生部の構成図である。各超音波発生部１は、三角錐形状の筐体１０内に軸振動子１１が設けられている。また、超音波発生部１は、筐体１０の上部においてボールジョイント１２を介して本体２と連結しており、各超音波発生部１は個々に自在に動くことができる。電力は、駆動回路５から導出するリード線１３から供給される。リード線１３は本体２から各超音波発生部１の筐体１０上部の半球状部分１４を通じ、前記ボールジョイント１２を避けて当該超音波発生部１の筐体１０内に導入配設される。各超音波発生部１は、ボールジョイント１２で本体２に取り付けられているため全方向に首振り可能であり、その角度は約３０度程度である（図６参照）。
【００１１】
前記軸振動子１１は２枚のピエゾ素子１５，１６を金属製のホーン１７，１８により挟んでボルト１９で固定した構造である。ピエゾ素子１５，１６の間には駆動端子が接続されており、一方のピエゾ素子１５とホーン１７との間にはアース端子が接続されている。また、下方のホーン１８の先端には皿状に成形した金属製の振動板２０が設けられており、その振動板２０の周囲は筐体１０の外周縁にゴム２１を介して取り付けられている。振動板２０の直径は４０ｍｍ以上８０ｍｍ以下とする。振動板２０の下面２２は肌にフィットするように僅かな凹面となる。
【００１２】
図７は、この超音波マッサージ器の使用方法を示す説明図である。この超音波マッサージ器１００は、複数の超音波発生部１を備えているので広範な部位をマッサージできる。例えば図７に示すように、グリップ３を持って頭頂部Ｈ１に押し当てると各超音波発生部１が動いて振動板２０が身体にちょうど上手く当たるようになる。また、縦横で超音波発生部１の個数が異なるので（縦３個、横２個）９０度向きを変えて使うこともできる。例えは、図７の場合、額Ｈ２に当てる場合には横向きに当てればよいし、頭頂部Ｈ１に当てる場合には縦でも横でも可能である。
【００１３】
また、超音波発生部１は全方向に３０度程度動くので、図８に示すように、一部の超音波発生部１だけを身体（例えば図８では顎）に押し当てることが可能となる。なお、電源は二次電池の他、一次電池を用いるようにしても良いし、ＡＣアダプターから電源を取るようにしても良い。
【００１４】
また、各超音波発生部１を選択的に振動できるようにしても良い（図示省略）。具体的には、各超音波発生部１に対して個別に電源供給できるように、グリップに切換スイッチを設ける。例えば、各超音波発生部１に対応した６個の選択ボタンがグリップに設けられ、ユーザが所望の超音波発生部１の選択ボタンを押すことで振動させる超音波発生部１を選ぶことができるようにする。これにより、特定の部位を避けてその周囲だけをマッサージすることができる。
【００１５】
以上、この発明の超音波マッサージ器１００では、身体に当てる面積を広くした複数の超音波発生部１を備え且つ各超音波発生部１が可動であり身体にフィットするように動くため、身体の広い範囲に対して超音波マッサージを行うことができる。
【００１６】
広い範囲で超音波マッサージすることの効用は、例えば視力回復、脳活性化、疲労回復等である。特に視力回復については、従来は超音波治療器を瞼の上から一定時間押し当てていたが、効果は今ひとつであった。一方、視力回復にあたり重要なのは眼球の周囲にある上下左右の直筋と斜筋が硬くなることを防止することであり、この超音波マッサージ器１００によれば眼球の周囲に満遍なく超音波を伝えることができるので、視力回復に効果的である。広い範囲で超音波を伝えることができれば、本来治療すべき箇所に確実に超音波を伝えることができる。また、回数を分けて超音波マッサージしなくても一度で済む。また、頭部に満遍なく超音波を伝えることで脳の活性化させる効果が得られる。
【符号の説明】
【００１７】
１００  
１  超音波発生部
２  本体
３  グリップ
４  二次電池
５  駆動回路
６  スイッチ
１０  筐体
１１  軸振動子
１２  ボールジョイント
１５，１６  ピエゾ素子
１７，１８  ホーン
２０  振動板
【図１】
2011055852.tif 000003
【図２】
2011055852.tif 000004
【図３】
2011055852.tif 000005
【図４】
2011055852.tif 000006
【図５】
2011055852.tif 000007
【図６】
2011055852.tif 000008
【図７】
2011055852.tif 000009
【図８】
2011055852.tif 000010